(57)【要約】【課題】患者全身に強い光を満遍なく照射することにより治療効果の高い光治療器を提供する。【解決手段】光治療器１０は、患者が中に入って横たわり、光を照射することで治療を行うもので、骨組みとなるフレーム部２０と、患者が横たわるための背板部と、患者に光を照射する一対のＬＥＤパネル（第１のＬＥＤパネル４１，第２のＬＥＤパネル４２）とを備えている。ＬＥＤパネル４０は、患者に光を照射するＬＥＤが配列されたもので、患者の身長方向に沿って棟を形成した屋根型に形成されている。屋根型を形成する一対のＬＥＤパネルのうちの一方の第１のＬＥＤパネル４１を、棟２３ｘを中心として回動して、患者の出入りをするための扉とした。【選択図】図２
2014147498.tif 000002
【特許請求の範囲】
【請求項１】
患者の背面に配置された背板部と、
前記患者に治療線を照射するＬＥＤが配列された一対のＬＥＤパネルとを備え、
前記一対のＬＥＤパネルは、棟を形成した屋根型に形成されていることを特徴とする光治療器。
【請求項２】
前記一対のＬＥＤパネルは、前記棟が前記患者の身長方向に沿って配置されている請求項１記載の光治療器。
【請求項３】
前記屋根型を形成する一対のＬＥＤパネルのうちの一方を、前記棟を中心として回動させて、前記患者の出入りをするための扉とした請求項１または２記載の光治療器。
【請求項４】
前記患者の頭側または足側のいずれか一方、または両方の端部に治療線を照射する一対の端部ＬＥＤパネルが設けられ、
前記一対の端部ＬＥＤパネルは、開度が前記患者に向けて狭くなるように形成されている請求項１から３のいずれかの項に記載の光治療器。
【請求項５】
前記ＬＥＤパネルは複数の小パネルから構成され、
前記複数の小パネルを順番に点灯または消灯させる電源制御装置を備えた請求項１から４のいずれかの項に記載の光治療器。
【発明の詳細な説明】
【技術分野】
【０００１】
本発明は、通電することでＬＥＤが発する治療線を患者に照射して、健康状態を向上させる光治療器に関するものである。
【背景技術】
【０００２】
従来の光治療器に関して、特許文献１〜４に記載されたものが知られている。
特許文献１には、ＬＥＤ素子による発光部と、該発光部における発光動作を制御する制御回路と、前記発光部を所定の状態に支持する支持構造と、照射対象からの反射光を、再び照射対象へ向けて反射するように構成された反射手段と、を備えた卓上型の光照射装置が記載されている。
【０００３】
特許文献２には、生体頭頚部との接触部位に発光ダイオードを敷設すると共に、発光ダイオードに隣接して生体接触検知器を設置して、生体が接触した部位の発光ダイオードのみを点灯させる光照射素子を敷設した寝具枕が記載されている。
【０００４】
特許文献３には、基板と天板との間に、青色系の光を発光する第１照射パネルと、青色系以外の光を発光する第２照射パネルとを配設した生体リズムに対する光治療を行うことができる作業テーブル用照明装置が記載されている。
【０００５】
特許文献４には、人体の腹部に装着される帯状の包装帯と、この包装帯の表面側に配置した光拡散帯と、この光拡散帯と包装帯間に介在させた複数の発光素子とを備えた光照射装置が記載されている。
【先行技術文献】
【特許文献】
【０００６】
【特許文献１】特開２００７−３２４０２６号公報
【特許文献２】特開２００６−３４６４５７号公報
【特許文献３】特開２００８−１４６９１９号公報
【特許文献４】特開２０１０−２４６７５４号公報
【発明の概要】
【発明が解決しようとする課題】
【０００７】
特許文献１〜４の記載の従来の光治療器では、治療線である光を、患部に照射するものであり、患者全体を照射するものではない。患部に治療線を照射する場合には、患部に当たるようにＬＥＤを配置すればよいが、患者全体に治療線を照射するときには、立体的な患者の身体に満遍なく治療線を照射する必要がある。また強い治療線を照射するのが望ましい。
【０００８】
そこで本発明は、患者全身に強い治療線を満遍なく照射することにより治療効果の高い光治療器を提供することを目的とする。
【課題を解決するための手段】
【０００９】
本発明の光治療器は、患者の背面に配置された背板部と、前記患者に治療線を照射するＬＥＤが配列された一対のＬＥＤパネルとを備え、前記一対のＬＥＤパネルは、棟を形成した屋根型に形成されていることを特徴とする。
【００１０】
本発明の光治療器によれば、一対のＬＥＤパネルが、屋根型に形成されているので、一方のＬＥＤパネルが傾斜した状態で患者に向かって治療線を照射し、また、他方のＬＥＤパネルも傾斜した状態で患者に向かって治療線を照射する。従って、一方のＬＥＤパネルからの治療線が遮られる患者の一側であっても、他方のＬＥＤパネルからの治療線を到達させることができるので、患者に満遍なく治療線を照射することができる。また、一対のＬＥＤパネルの両方からの治療線が到達する位置では、双方からの治療線により２倍の光を照射させることができるので、患者に強い治療線を照射することができる。ここで、治療線とは、ＬＥＤから照射される全てのものを指し、可視光、紫外線、赤外線だけでなく、患者の治療に寄与するものであれば全て含まれる。
【００１１】
前記一対のＬＥＤパネルは、前記棟が前記患者の身長方向に沿って配置されていると、患者の左側と右側とに一対のＬＥＤパネルからの治療線を照射することができるので、患者の全身に強い治療線を照射することができる。
【００１２】
前記屋根型を形成する一対のＬＥＤパネルのうちの一方を、前記棟を中心として回動させて、前記患者の出入りをするための扉としているため、ＬＥＤパネルが患者の全身をカバーするような大きなＬＥＤパネルで、患者を覆うように配置されていたとしても、光治療器への出入りを容易なものとすることができる。
【００１３】
前記患者の頭側または足側のいずれか一方、または両方の端部に治療線を照射する一対の端部ＬＥＤパネルが設けられ、前記一対の端部ＬＥＤパネルは、開度が前記患者に向けて狭くなるように形成されているのが望ましい。
端部ＬＥＤパネルを閉じることで、頭部や足先に集中的に治療線を照射することができる。
【００１４】
前記ＬＥＤパネルは複数の小パネルから構成され、前記複数の小パネルを順番に点灯または消灯させる電源制御装置を備えると、ＬＥＤパネルの消費電力を抑えることができる。
【発明の効果】
【００１５】
本発明は、患者に満遍なく光を照射することができ、患者に強い治療線を照射することができるので、治療効果の高い光治療器とすることができる。
【図面の簡単な説明】
【００１６】
【図１】本発明の実施の形態に係る光治療器を示す斜視図である。
【図２】図１に示す光治療器の右側面図である。
【図３】図１に示す光治療器の使用状態を説明するための図であり、扉を開けた状態の図である。
【図４】図１に示す光治療器に患者が横たわった状態の身長方向に沿った垂直断面図である。
【図５】図１に示す光治療器に患者が横たわった状態の身長方向に沿った水平断面図である。
【図６】図１に示す光治療器に患者が横たわった状態の左側面図である。
【図７】図１に示す光治療器の電源制御装置を説明するための図であり、（Ａ）は照射パネルとの接続状態を示す図、（Ｂ）は照射パネルを点灯させるタイミングを示す図である。
【図８】第１のＬＥＤパネル，第２のＬＥＤパネル，第５のＬＥＤパネル，第６のＬＥＤパネルを形成する照射パネルを示す図であり、（Ａ）はＬＥＤが格子状に配置された状態の図、（Ｂ）はＬＥＤが千鳥状に配置された状態の図である。
【発明を実施するための形態】
【００１７】
本発明の実施の形態に係る光治療器を図面に基づいて説明する。なお、本明細書においては、光治療器に患者が出入りする側を前側（正面側）、その反対側を後側（背面側）として説明する。
図１および図２に示すように、光治療器１０は、患者が中に入って横たわり、治療線を照射することで治療を行う器具である。光治療器１０は、骨組みとなるフレーム部２０と、患者が横たわるための背板部３０と、ＬＥＤに通電することで発する治療線を患者に照射するＬＥＤパネル４０と、電源制御装置５０（図７参照）を備えている。
【００１８】
フレーム部２０は、家型に形成され、背板部３０とＬＥＤパネル４０とを支持するものである。フレーム部２０は、アルミ材やステンレスなどの金属、ＦＲＰ（繊維強化プラスチック）、木材などにより形成することができる。フレーム部２０は、踏み台部２１と、軸組部２２と、小屋組部２３と、床組部２４と、背側支持部２５とを備えている。
踏み台部２１は、患者が昇降するためのものである。踏み台部２１は、略直方体状に組まれた踏み台部本体２１ａと、踏み台部本体２１ａの上部に設けられた踏み板２１ｂとにより形成されている。
【００１９】
軸組部２２は、平面視矩形状に形成され、土台となる矩形状の枠フレーム２２ａと、それぞれの柱となる支柱フレーム２２ｂと、桁となる水平フレーム２２ｃと、車輪２２ｄ（図２参照）とにより、小屋組部２３を支持している。
小屋組部２３は、患者の身長方向に沿って棟２３ｘを形成した屋根型に形成されている。小屋組部２３は、屋根の輪郭を形成する一対の枠フレーム２３ａ，２３ｂと、一対の枠フレーム２３ａ，２３ｂのうち、踏み台部２１側（前側）の枠フレーム２３ａを扉として開閉する一対のガスシリンダ２３ｃと、扉とした枠フレーム２３ａの戸当りとなる枠フレーム２３ｄと、真束となる垂直フレーム２３ｅ，２３ｆとを備えている。
本実施の形態では、一対の枠フレーム２３ａ，２３ｂによる頂角が９０°の角度となるように形成されている。
ガスシリンダ２３ｃは、基端が垂直フレーム２３ｅ，２３ｆに固定され、先端が、後述する第１のＬＥＤパネルに接続されて、基端を中心として回動しながら伸縮する。
【００２０】
床組部２４は、軸組部２２の上端位置に設けられ、背板部３０が載置される格子状のフレームである。
背側支持部２５は、軸組部２２の前後の桁となる水平フレーム２２ｃから、軸組部２２の中央部の下端に向かって傾斜した状態で配置された一対の枠フレーム２５ａ，２５ｂである。
本実施の形態では、一対の枠フレーム２５ａ，２５ｂによる頂角が９０°の角度となるように形成されている。
【００２１】
背板部３０は、患者が横たわるためのものである。背板部３０は、患者が長時間横たわっても痛くないように、上面にクッション部材を設けるのが望ましい。
【００２２】
ＬＥＤパネル４０は、ＬＥＤが縦列および横列に配列されたＬＥＤ基板である。ＬＥＤパネル４０としては、絶縁性基板に配線パターンが形成されたプリント配線基板とすることもできるし、配線パターンの代わりにワイヤによりＬＥＤを接続した基板とすることもできる。このＬＥＤパネル４０は、図示しない電源制御装置５０からの特定のパターンの給電により点灯する。
ＬＥＤパネル４０は、患者の前面に治療線を照射する第１のＬＥＤパネル４１および第２のＬＥＤパネル４２と、患者の身長方向の端部に治療線を照射する一対の第３のＬＥＤパネル４３および一対の第４のＬＥＤパネル４４と、患者の背面に治療線を照射する第５のＬＥＤパネル４５および第６のＬＥＤパネル４６とを備えている。
【００２３】
第１のＬＥＤパネル４１および第２のＬＥＤパネル４２は、矩形状に形成され、小屋組部２３の一対の枠フレーム２３ａ，２３ｂに設けられて、屋根型を構成する。第１のＬＥＤパネル４１は枠フレーム２３ａに取り付けられ、第２のＬＥＤパネル４２は、枠フレーム２３ｂに取り付けられている。
【００２４】
一対の第３のＬＥＤパネル４３は、患者の頭部側に治療線を照射する端部ＬＥＤパネルとして機能するものである。一対の第４のＬＥＤパネル４４は、患者の足側に治療線を照射する端部ＬＥＤパネルとして機能するものである。
【００２５】
一対の第３のＬＥＤパネル４３は、それぞれが、小屋組部２３の一方の垂直フレーム２３ｅに、蝶番を介在させて取り付けられている。一対の第４のＬＥＤパネル４４も、それぞれが、小屋組部２３の他方の垂直フレーム２３ｆに、蝶番を介在させて取り付けられている。第３のＬＥＤパネル４３および第４のＬＥＤパネル４４が蝶番により取り付けられていることで、垂直フレーム２３ｅ，２３ｆを中心として、水平方向に回動して患者に向けて狭くなるように、開度が１８０°から９０°の間で、変更できるようになっている。
【００２６】
第５のＬＥＤパネル４５および第６のＬＥＤパネル４６は、背側支持部２５一対の枠フレーム２５ａ，２５ｂに設けられている。第５のＬＥＤパネル４５は枠フレーム２５ａに取り付けられ、第６のＬＥＤパネル４６は、枠フレーム２５ｂに取り付けられている。
【００２７】
ＬＥＤパネル４０は、複数枚の小パネルにより形成されている。本実施の形態では、第１のＬＥＤパネル４１および第２のＬＥＤパネル４２は、それぞれ４枚の照射パネル（照射パネルＰ１〜Ｐ４，照射パネルＰ５〜Ｐ８）、一対の第３のＬＥＤパネル４３および一対の第４のＬＥＤパネル４４は、それぞれ２枚の照射パネル（照射パネルＰ９，Ｐ１０，照射パネルＰ１１，Ｐ１２）、第５のＬＥＤパネル４５および第６のＬＥＤパネル４６は、それぞれ４枚の照射パネル（照射パネルＰ１３〜Ｐ１６，照射パネルＰ１７〜Ｐ２０）により形成されている。従って、ＬＥＤパネル４０全体としては、合計２０枚の小パネル（照射パネル）により形成されている。
【００２８】
図７（Ａ）に示す電源制御装置５０は、小パネルであるＬＥＤパネル４０の照射パネルＰ１〜P２０を順番に点灯させるための電源を供給するものである。
【００２９】
以上のように構成された本発明の実施の形態に係る光治療器１０の動作および使用状態について図面に基づいて説明する。
図３に示すように、患者Ｃは、踏み台部２１側（前側）の小屋組部２３の枠フレーム２３ａを持ち上げることで、第１のＬＥＤパネル４１が、棟２３ｘを中心として、下端が上方に回動して開く。本実施の形態では、第１のＬＥＤパネル４１が閉まった状態から９０°の位置まで、枠フレーム２３ａが開くように形成されている。
【００３０】
屋根型を形成する一対の第１のＬＥＤパネル４１，第２のＬＥＤパネル４２のうちの一方の第１のＬＥＤパネル４１を、棟２３ｘを中心として回動させて、患者Ｃの出入りをするための扉としているため、第１のＬＥＤパネル４１，第２のＬＥＤパネル４２が患者Ｃの全身をカバーするような大きなＬＥＤパネルで、屋根型に形成され、患者Ｃを覆うように配置されていたとしても、光治療器１０への出入りを容易なものとすることができる。
【００３１】
第１のＬＥＤパネル４１を扉とした出入り口が開いた状態でガスシリンダ２３ｃが伸びて、枠フレーム２３ａおよび第１のＬＥＤパネル４１を支持するので、患者Ｃが手を離しても第１のＬＥＤパネル４１は落下しない。
【００３２】
図４および図５に示すように、患者Ｃは、光治療器の背板部３０に仰向けの状態で横たわりながら、枠フレーム２３ａを引っ張ることで、第１のＬＥＤパネル４１が開いたときと反対の動作で閉まる。そして、電源制御装置５０を投入してＬＥＤパネル４０に給電する。電源制御装置５０は、図７（Ｂ）に示すように、照射パネルＰ１から照射パネルＰ２０までを順番に点灯させるので、一度に一枚しか点灯させていないため、ＬＥＤパネル４０の消費電力を抑えることができる。従って、設置場所の供給電力の能力が低くても光治療器１０を設置することができる。本実施の形態では、電源制御装置５０は、設定により１０ｍＳ〜１００ｍＳの範囲で照射パネルＰ１〜Ｐ２０を点灯する。
なお、電源制御装置５０は、１枚ずつ点灯させているが点灯を２枚以上としてもよい。また、１枚ずつ消灯したり、２枚以上を消灯させたりしてもよい。
【００３３】
ＬＥＤは点光源とも称される光源であるため、ＬＥＤの前方の強度が最も高くなる。そのため、それぞれのＬＥＤから照射された治療線は、あまり拡散せず、まっすぐ患者Ｃに向う。
図６に示すように、第１のＬＥＤパネル４１と第２のＬＥＤパネル４２とにより、患者Ｃの身長方向に沿って棟２３ｘを形成した屋根型に形成されているので、第１のＬＥＤパネル４１が傾斜した状態で患者Ｃに向かって治療線を照射し、また、第２のＬＥＤパネル４２も傾斜した状態で患者Ｃに向かって治療線を照射する。
【００３４】
従って、一方の第１のＬＥＤパネル４１からの治療線が遮られる患者Ｃの一側（例えば、患者Ｃの左側。）であっても、他方の第２のＬＥＤパネル４２から治療線を到達させることができるので、患者Ｃに満遍なく治療線を照射することができる。また、第１のＬＥＤパネル４１と第２のＬＥＤパネル４２との両方からの治療線が到達する位置では、双方からの治療線により２倍の治療線を照射させることができるので、強い光を患者Ｃに照射することができる。
【００３５】
第１のＬＥＤパネル４１と第２のＬＥＤパネル４２との成す角度が鈍角や鋭角であれば、患者Ｃに対して接近した場所ができたり、離れた場所ができたりするが、直角であるため、患者Ｃ全体に均一に光を照射することができる。
【００３６】
図５にて点線で示すように、患者Ｃは必要に応じて、第３のＬＥＤパネル４３および／または第４のＬＥＤパネル４４を１８０°開いた平面の状態から９０°までの間で角度を変更する。第３のＬＥＤパネル４３や第４のＬＥＤパネル４４を閉じることで、頭部や足先に集中的に光を照射することができる。
【００３７】
図６に示すように、第５のＬＥＤパネル４５および第６のＬＥＤパネル４６が、患者Ｃの背面側から治療線を照射する。第５のＬＥＤパネル４５および第６のＬＥＤパネル４６からの治療線は、背板部３０により遮られる。しかし、第１のＬＥＤパネル４１と第２のＬＥＤパネル４２と同様に、第５のＬＥＤパネル４５が傾斜した状態で患者Ｃに向かって治療線を照射し、また、第６のＬＥＤパネル４６も傾斜した状態で患者Ｃに向かって治療線を照射する。従って、患者Ｃに満遍なく、強い治療線を患者Ｃに照射することができるので、背板部３０があっても、一定の効果が期待できる。
【００３８】
更に、第１のＬＥＤパネル４１および第５のＬＥＤパネル４５と、第２のＬＥＤパネル４２および第６のＬＥＤパネル４６とは、それぞれが、開いた方向が向き合った、く字状に配置され、患者Ｃの左右の側部を間に挟むように位置させているため、中心位置に背板部３０が位置しているものの、患者Ｃの側部に、両方から照射される治療線を当てることができる。
【００３９】
なお、本実施の形態に係る光治療器１０では、患者Ｃが横たわらせて治療線を照射するために横型としているが、患者を立たせて照射するようにした縦型としてもよい。
また、背板部３０に患者が仰向けに横たわっているが、治療の途中、または最初から、患者が背板部３０に俯せとなるように横たわってもよい。また、患者が右側を下にした状態となったり、左側を下にした状態となったりしてもよい。
【００４０】
また、患者Ｃの頭部に治療線を照射する第３のＬＥＤパネル４３と、足先に治療線を照射する第４のＬＥＤパネル４４とは、いずれか一方でもよい。しかし、頭部と足先とを治療する場合に、いずれか一方だけでは、患者が治療中に横たわる向きを反対方向に変える必要があるため、両方を備える方が、頭部と足先とを同時に治療することができるので望ましい。
また、第１〜第６のＬＥＤパネル４１〜４５に実装されたＬＥＤが高輝度で、患者に対して眩しすぎる場合には、第１〜第６のＬＥＤパネル４１〜４５の前面に、治療線を透過させつつ、可視光を減光または遮蔽する保護パネルを設けてもよい。
【００４１】
次に、ＬＥＤパネル４０を構成する複数枚の小パネルである照射パネルの変形例を図面に基づいて説明する。
図４に示す照射パネルは、ＬＥＤが縦列および横列に並べられて格子状を成している。図８（Ａ）に第１のＬＥＤパネル４１，第２のＬＥＤパネル４２，第５のＬＥＤパネル４５，第６のＬＥＤパネル４６を形成する照射パネルを示す。
図８（Ａ）に示すようにＬＥＤが格子状に配置されていると、縦列または横列の２個のＬＥＤ列と、このＬＥＤ列に隣接するＬＥＤ列による合計４個のＬＥＤ（一点鎖線にて囲う４個のＬＥＤ）では、中心位置の輝度が低下する。そこで、図８（Ｂ）に示す照射パネルでは、ＬＥＤが千鳥状に配置されている。
図８（Ｂ）に示す照射パネルでは、ＬＥＤが格子状に配置されているため、輝度が低下する縦列または横列のＬＥＤ同士の間を、半個分ずれて配置された隣に位置するＬＥＤ列がカバーする。従って、照射パネルは、治療線を均等に照射することができる。
なお、図８（Ａ）と図８（Ｂ）とに示されるＬＥＤパネルにおいて、ＬＥＤが９０°回転しているのは、配線条件によるもので、光学的には図８（Ａ）と図８（Ｂ）とでＬＥＤ１個の配光範囲は同じである。
【産業上の利用可能性】
【００４２】
本発明は、光源としたＬＥＤからの光を患者に照射して健康状態を向上させる光治療器に好適である。
【符号の説明】
【００４３】
１０  光治療器
２０  フレーム部
２１  踏み台部
２１ａ  踏み台部本体
２１ｂ  踏み板
２２  軸組部
２２ａ  枠フレーム
２２ｂ  支柱フレーム
２２ｃ  水平フレーム
２２ｄ  車輪
２３  小屋組部
２３ｘ  棟
２３ａ，２３ｂ  枠フレーム
２３ｃ  ガスシリンダ
２３ｄ  枠フレーム
２３ｅ，２３ｆ  垂直フレーム
２４  床組部
２５  背側支持部
２５ａ，２５ｂ  枠フレーム
３０  背板部
４０  ＬＥＤパネル
４１  第１のＬＥＤパネル
４２  第２のＬＥＤパネル
４３  第３のＬＥＤパネル
４４  第４のＬＥＤパネル
４５  第５のＬＥＤパネル
４６  第６のＬＥＤパネル
５０  電源制御装置
Ｃ  患者
Ｐ１〜Ｐ２０  照射パネル
【図１】
2014147498.tif 000003
【図２】
2014147498.tif 000004
【図３】
2014147498.tif 000005
【図４】
2014147498.tif 000006
【図５】
2014147498.tif 000007
【図６】
2014147498.tif 000008
【図７】
2014147498.tif 000009
【図８】
2014147498.tif 000010